(57)【要約】【課題】  魚が針掛かりして一定の変位を生じた場合であっても、釣り竿に対する操作が容易で、魚に対しても強い操作力を加えなくともよい、趣のある釣りを行うことのできる釣り竿用竿体及び釣り竿を提供する。【解決手段】  竿先側部分３Ｂと竿元側部分３Ｃとを、中間部分３Ａで連結するとともに、中間部分３Ａにおける一定の変位を生じた状態での剛性の変化率を、竿先側部分３Ｂにおける一定の変位を生じた状態での剛性の変化率及び竿元側部分３Ｃにおける一定の変位を生じた状態での剛性の変化率より小さなものとしてある。【選択図】        図２
2009095303.tif 000002
【特許請求の範囲】
【請求項１】
竿先側部分と竿元側部分とを、中間部分で連結するとともに、前記中間部分における一定の変位を生じた状態での剛性の変化率を、前記竿先側部分における前記一定の変位を生じた状態での剛性の変化率及び前記竿元側部分における前記一定の変位を生じた状態での剛性の変化率より小さくしてある釣り竿用竿体。
【請求項２】
前記竿先側部分と前記竿元側部分を、前記竿体の竿軸線に沿った一方向に引き揃えた強化繊維群にマトリックス樹脂を含浸させた第３プリプレグと、竿体の竿軸線Ｘに直交する円周方向に強化繊維を引き揃えた第４プリプレグとで構成するとともに、前記中間部分を、前記竿体の竿軸線に対して傾斜する状態で一方向に引き揃えた強化繊維群にマトリックス樹脂を含浸させた第１プリプレグと、前記竿体の竿軸線を挟んで前記第1プリプレグの強化繊維群と対称となるように一方向に引き揃えた強化繊維にマトリックス樹脂を含浸させた第２プリプレグとを重ね合わせて形成してある請求項１記載の釣り竿用竿体。
【請求項３】
前記中間部分の強化繊維の弾性率を、前記竿先側部分の強化繊維の弾性率及び前記竿先側部分の強化繊維の弾性率より小さなものに選定してある請求項１または２記載の釣り竿用竿体。
【請求項４】
請求項１〜３のうちのいずれか１つに記載の前記中間部分を有する釣り竿用竿体が元竿であり、その元竿を備えている釣り竿。
【請求項５】
請求項１〜３のうちのいずれか１つに記載の前記中間部分を有する釣り竿用竿体が中竿でり、その中竿を備えている釣り竿。
【発明の詳細な説明】
【技術分野】
【０００１】
本発明は、筒状を呈する釣り竿用竿体、及び、複数本の釣り竿用竿体を連ねる釣り竿に関する。
【背景技術】
【０００２】
釣り竿用竿体は筒状を呈しており、一般には、軸線方向に沿って徐々に外径を大きくして行く棒状のマンドレルに対してプリプレグを巻回して形成する。そのプリプレグは、炭素繊維等の強化繊維を一方向に引き揃えたものに熱硬化性樹脂等のマトリックス樹脂を含浸させて形成したプリプレグを所定形状に裁断したものである。
このような複数枚のプリプレグをマンドレルに複数層に亘って巻付け、又は、1枚のプリプレグを複数プライに巻回することによって、筒状体を形成し、マンドレルに巻回した状態で焼成し、焼成後マンドレルを脱芯して、所定長さに裁断して、竿体が製造される。
【特許文献１】特開２００６−３２０２３５号公報（段落〔００１６〕，図１）
【発明の開示】
【発明が解決しようとする課題】
【０００３】
上記した構造のものにおいては、軸線方向に沿って僅かに内外径が大きくなる筒状のものに構成されており、かつ、竿体を構成するに単一の炭素繊維群、単一の熱硬化性樹脂等が使用されている。
単一の炭素繊維群、単一の熱硬化性樹脂等で構成された穂先竿から元竿までを連結している釣り竿は、変位に対する剛性の変化特性について見てみると、竿体が一定の変位を生ずるまでは、略一定の変化率を持って剛性値が上昇するが、その一定の変位を生ずる一定領域では変位の変化量に対して剛性の変化量（変化率）が急激に大きくなる傾向にあると、推察される。
ここで、剛性とは、縦弾性係数（Ｅ）×断面二次モーメント（Ｉ）と定義する。
【０００４】
そうすると、魚が針掛かりした場合において、釣り竿の変位が前記一定領域に至っている場合には、釣り人が釣り竿を持上げて魚を浮かせる操作を行う場合には、釣り竿が持上げる量が僅かであっても剛性が急激に大きくなるので、その剛性の急拡大に対応する大きな操作力を必要とし、かつ、その為に針掛かりした魚にも大きな負荷が作用することになる。
【０００５】
本発明の目的は、魚が針掛かりして一定の変位を生じた場合であっても、釣り竿に対する操作が容易で、魚に対しても強い操作力を加えなくともよい、趣のある釣りを行うことのできる釣り竿用竿体及び釣り竿を提供する点にある。
【課題を解決するための手段】
【０００６】
〔構成〕
請求項１に係る発明の特徴構成は、竿先側部分と竿元側部分とを、中間部分で連結するとともに、前記中間部分における一定の変位を生じた状態での剛性の変化率を、前記竿先側部分における前記一定の変位を生じた状態での剛性の変化率及び前記竿元側部分における前記一定の変位を生じた状態での剛性の変化率より小さくしてある点にあり、その作用効果は次の通りである。
【０００７】
〔作用〕
前記中間部分における一定の変位を生じた状態での剛性の変化率を、前記竿先側部分における前記一定の変位を生じた状態での剛性の変化率及び前記竿元側部分における前記一定の変位を生じた状態での剛性の変化率より小さくしてある。
そうすると、竿先側部分、中間部分、竿元側部分を繋いだ釣り竿用の竿体、牽いては、他の竿体を連結した釣り竿の性質としては、次ぎのようになる。つまり、この釣り竿では、中間部分の性質が釣り竿全体の性質に影響し、中間部分が持つ性質をそのまま反映して、一定の変位を生ずる一定領域においても、略一定の変化率を持って剛性値が上昇する柔軟性の高い釣り竿となっている。
そうすると、魚が針掛かりして釣り竿に一定の変位が生じた場合であって、その状態より僅かに釣り竿に力が作用しても、釣り竿がその柔軟性によってその力を吸収して変位は余り生ぜず、魚には強い負荷は作用しない。
【０００８】
一方、本願発明に係る釣り竿において、前記した一定の変位が作用した状態から、釣り竿を上方に持上げ操作し魚を浮かせようとする場合には、例えば従来構成における剛性が急激に大きくなる場合のように僅かな変位を与えるにも大きな操作力を必要とするものとは異なり、小さな操作力で釣り竿を持上げ操作でき、魚に与える影響も抑制できる。
そして、本願発明において魚が掛かって前記した一定の変位を越える変位を生ずる場合には、釣り人が小さな力かまたは殆ど力を加えない場合であっても、釣り竿は剛性の変化の少ない自己の柔軟性を生かして、穂先側をユックリと持上げて、魚を浮かせてくる。
浮かせられる魚は、穂先竿がユックリと持ち上がるだけであるから、大きな負荷は受けない。
【０００９】
〔効果〕
このように、中間部の剛性の変化率を小さくする工夫を施すだけで、魚に与える負荷を軽減しながら、趣のある釣りが行える釣り竿用竿体を提供することができた。
【００１０】
〔構成〕
請求項２に係る発明の特徴構成は、前記竿先側部分と前記竿元側部分を、前記竿体の竿軸線に沿った一方向に引き揃えた強化繊維群にマトリックス樹脂を含浸させた第３プリプレグと、竿体の竿軸線Ｘに直交する円周方向に強化繊維を引き揃えた第４プリプレグとで構成するとともに、前記中間部分を、前記竿体の竿軸線に対して傾斜する状態で一方向に引き揃えた強化繊維群にマトリックス樹脂を含浸させた第１プリプレグと、前記竿体の竿軸線を挟んで前記第1プリプレグの強化繊維群と対称となるように一方向に引き揃えた強化繊維にマトリックス樹脂を含浸させた第２プリプレグとを重ね合わせて形成してある点にあり、その作用効果は次の通りである。
【００１１】
〔作用〕
竿先側部分と竿元側部分とでは、前記竿体の竿軸線に沿った一方向に引き揃えた強化繊維群にマトリックス樹脂を含浸させた第３プリプレグと、竿体の竿軸線に直交する円周方向に強化繊維を引き揃えた第４プリプレグとで構成してあるので、魚が掛かって曲げモーメントによる曲がりが生じた場合には、竿の断面には、竿の断面の中立面を境にして、上半分には竿の軸線方向に沿った引張力Ｐが作用し、下半分には竿の軸線方向に沿った圧縮力Ｑが作用する。
そうすると、図４（ｃ）に示すように、竿先側部分３Ｂ等に曲げモーメントＭに起因して作用する竿軸線Ｘに沿った引張力Ｐに対して同方向に引き揃えた強化繊維ｃが対抗力を発揮する。したがって、竿先側部分３Ｂと竿元側部分３Ｃでは曲がり難くなっている。
【００１２】
一方、魚が針掛かりすると、同時に竿の断面は、竿の軸線方向に直交する面において互いに交差する方向で縮径かつ拡径する状態が見られる。つまり、図４（ａ）に示すように、前記中間部分３Ａの断面は、円周方向における上部部分３ｋとそれに対向する下部部分３ｍとが軸芯に向かって凹入しやすく、かつ、直交する左右部分３ｊでは外向きに張出すように変形しやすくなっている。
しかし、竿先側部分と竿元側部分では、竿体の竿軸線に直交する円周方向に強化繊維を引き揃えた第４プリプレグで構成してあるので、その強化繊維が対抗力を発揮して、前記した楕円状への変形は抑制されている。
【００１３】
他方、竿先側部分と竿元側部分との中間に位置する中間部分では、図５に示すように、強化繊維ｃが竿軸線Ｘに対して傾斜する状態に引き揃えられている。そうすると、竿軸線Ｘに沿った引張力に対する対抗力は、その竿軸線Ｘに沿って強化繊維ａが配置されている場合に比べて弱いものとなる。
また、釣り竿に曲げが作用して竿の断面が図４（ａ）に示すように、楕円状に変形する場合に対しても、円周方向に配置した強化繊維ｂに比べて、中間部分では強化繊維ｃが傾斜した状態に配置されているので、変形に対する対抗力が弱い。
したがって、この竿体においては、図４（ａ）に示すように、一定の変位を生じた領域での剛性の変化率を、図４（ｂ）に示すように、前記竿先側部分における前記一定の変位を生じた状態での剛性の変化率及び前記竿元側部分における前記一定の変位を生じた状態での剛性の変化率より小さなものとすることができる。
【００１４】
〔効果〕
以上のように、中間部分においてある一定の変位が作用した場合の剛性の変化率を小さくする手段として、強化繊維の配向方向を竿軸線に対して傾斜する状態に形成することによって、魚が針掛かりした場合に、竿体の断面に作用する竿軸線に沿った引張力及び断面を楕円状に変形させる変形力のいずれに対しても対抗力が弱くなっているので、中間部分が竿先側部分と竿元側部分とに比べて柔軟性の高いものとなっている。
これによって、しなやかで粘りのある魚との遣り取りが行え、趣のある釣りが行える釣り竿用竿体を提供することができた。
【００１５】
〔構成〕
請求項３に係る発明の特徴構成は、前記中間部分の強化繊維の弾性率を、前記竿先側部分の強化繊維の弾性率及び前記竿先側部分の強化繊維の弾性率より小さなものに選定してある点にあり、その作用効果は次の通りである。
【００１６】
〔作用効果〕
請求項２に係る発明においては、強化繊維の配列方向によって柔軟性のある竿体を構成したが、ここでは強化繊維そのものを柔軟性の高いものにすべく小さな弾性率のものを選定した。
したがって、この竿体においては、剛性に関係する一定の変位を生じた領域での剛性の変化率を、前記竿先側部分における前記一定の変位を生じた状態での剛性の変化率及び前記竿元側部分における前記一定の変位を生じた状態での剛性の変化率より小さなものとすることができる。
これによって、単一の強化繊維を持つものよりも、中間部分で撓み易い構成のものにしながら、前記竿先側部分や竿元側部分では一定の保形性を確保できるだけの剛性の変化率を保持して、釣り竿のしなやかさを演出できるのである。
【００１７】
〔構成〕
請求項４に係る発明の特徴構成は、前記中間部分を有する釣り竿用竿体が元竿である点にあり、その作用効果は次の通りである。
【００１８】
〔作用効果〕
元竿が、魚が掛かった場合の曲がりの起点となるので、釣り人の手元近くから大きな撓みを得ることができ、魚の引き等に対して十分なタメを作って耐えることのできる釣り竿を構成することができる。
【００１９】
〔構成〕
請求項５に係る発明の特徴構成は、前記中間部分を有する釣り竿用竿体が中竿である点にあり、その作用効果は次の通りである。
【００２０】
〔作用効果〕
つまり、中竿に柔軟性の高い中間部分を設けたので、元竿に設けた場合に比べて、曲がりの起点をやや竿先側に移動させることができ、元竿に設けた場合に比べて、魚が掛かった場合の撓みを抑えることができ、魚を釣上げる場合の釣上げ力を大きくできる。
ただし、元竿と中竿とに柔軟性の高い中間部分を設けた場合には、元竿又は中竿のみに前記中間部分を設けた場合に比べて、複数箇所に曲がりの起点を設けることができ、段階的に大きく曲がる釣り竿を構成することができ、魚の動きに自由に対応することがより容易になった。
【発明を実施するための最良の形態】
【００２１】
〔第１実施形態〕
ヘラ竿等の釣り竿Ａの構成について説明する。図１に示すように、釣り竿Ａは、竿先端に釣り糸係止用の糸連結部材１Ａを取り付けた穂先竿１と、穂先竿１に対して並継ぎ式に連結される二番竿２Ａ、三番竿２Ｂ等の中竿２と、三番竿２Ｂに対して並継ぎ式に連結される元竿３とを装備して構成してある。
【００２２】
元竿３の構成について説明する。図１及び図２に示すように、元竿３は,筒状の竿先側部分３Ｂと、竿元端にグリップ４を備えた筒状の竿元側部分３Ｃと、竿先側部分３Ｂと竿元側部分３Ｃとの間に配置した中間部分３Ａとを、連結固定して構成してある。
【００２３】
竿先側部分３Ｂ、竿元側部分３Ｃ、及び、中間部分３Ａはつぎのように、製作される。つまり、中間部分３Ａについて説明すると、図５（ａ）に示すように、元竿３等の竿軸線Ｘに対して所定角度θだけ傾斜する状態で一方向に引き揃えた炭素繊維等の強化繊維ｃ群を有する第１プリプレグ５Ａと、元竿３の竿軸線Ｘを挟んで前記第1プリプレグ５Ａの強化繊維ｃ群と対称となるように一方向に引き揃えた炭素繊維等の強化繊維ｃを有する第２プリプレグ５Ｂとを重ね合わせ、マンドレル６に巻回することによって形成してある。
これら、第１プリプレグ５Ａ、及び、第２プリプレグ５Ｂをメインパターンと称する。図中７は、第１プリプレグ５Ａ等の端部において重ね巻きされて補強効果を出す補強プリプレグであり、補強パターンと称する。
【００２４】
図５（ｂ）に示すように、中間部分３Ａ以外の竿先側部分３Ｂ、竿元側部分３Ｃについては、元竿３等の竿軸線Ｘに沿った方向に炭素繊維等の強化繊維ａを引き揃えた第３プリプレグ５Ｃ、及び、元竿３等の竿軸線Ｘに直交する円周方向に炭素繊維等の強化繊維ｂを引き揃えた第４プリプレグ５Ｄとを重ね合わせて、マンドレル６に巻回することによって形成してある。
【００２５】
以上のように、竿先側部分３Ｂ、竿元側部分３Ｃ、及び、中間部分３Ａを上記のようなプリプレグ５Ａ、５Ｂ、５Ｃ、５Ｄを使用して製作するが、上記したプリプレグ５Ａ、５Ｂ、５Ｃ、５Ｄを含んでいれば、他のテープ状のプリプレグや補強プリプレグを組合わせることは任意に選択できる。
【００２６】
竿先側部分３Ｂと中間部分３Ａとの連結構造について説明する。図２（ａ）に示すように、竿先側部分３Ｂの外周面の竿尻端部に、竿尻端側ほど小径となるテ―パ内嵌面３ｂを形成する。一方、中間部分３Ａの内周面の竿先端部分にテーパ外嵌面３ａを形成してある。
【００２７】
図２（ｂ）に示すように、竿先側部分３Ｂのテ―パ内嵌面３ｂを中間部分３Ａのテーパ外嵌面３ａに内嵌することによって、両者を連結する。テーパ外嵌面３ａとテ―パ内嵌面３ｂとの接続面には接着剤を塗布して結合を強化するとともに、中間部分３Ａの竿先端面３ｄと竿先側部分３Ｂの竿元端部の外周面３ｅとの間に形成された段差部分に樹脂材を塗布した補強部３ｆを形成してある。
【００２８】
図２（ｂ）に示すように、竿元側部分３Ｃのテ―パ内嵌面３ｃを中間部分３Ａのテーパ外嵌面３ａに内嵌することによって、両者を連結する。テーパ外嵌面３ａとテ―パ内嵌面３ｃとの接続面には接着剤を塗布して結合を強化するとともに、中間部分３Ａの竿元端面３ｇと竿元側部分３Ｃの竿先端部の外周面３ｈとの間に形成された段差部分に樹脂材を塗布した補強部３ｆを形成してある。
【００２９】
以上のような構成によって、前記中間部分３Ａにおける一定の変位を生じた状態での剛性の変化率を、前記竿先側部分３Ｂにおける前記一定の変位を生じた状態での剛性の変化率及び前記竿元側部分３Ｃにおける前記一定の変位を生じた状態での剛性の変化率より小さなものとしてある。
【００３０】
そうすると、竿先側部分３Ｂ、中間部分３Ａ、竿元側部分３Ｃを繋いだ元竿３、牽いては、他の竿体を連結した釣り竿Ａの性質としては、次ぎのようになる。つまり、この釣り竿Ａは、中間部分３Ａの性質が釣り竿全体の性質に影響し、中間部分３Ａが持つ性質をそのまま反映して、一定の変位を生ずる一定領域においても、略一定の変化率を持って剛性値が上昇する柔軟性の高い釣り竿Ａとなっている。
そうすると、作用効果の項で述べたように、魚の衝撃を与えることが少なく、かつ、釣り上げ操作が容易な扱い易い釣り竿Ａとすることができる。
【００３１】
以上のような構成になる、竿先側部分３Ｂ、中間部分３Ａ、竿元側部分３Ｃとの寸法関係は次ぎのようになっている。つまり、中間部分３Ａの外径Ｄは竿先側部分３Ｂの外径Ｄ１及び竿元側部分３Ｃの外径Ｄ２より大であり、中間部分３Ａの肉厚Ｔは竿先側部分３Ｂの肉厚ｔ１及び竿元側部分３Ｃの肉厚ｔ２より薄いものである。
【００３２】
このように、竿先側部分３Ｂや竿元側部分３Ｃを小径で肉厚を厚く、中間部分３Ａを大径で肉厚を薄いものに設定したので、次ぎのようなことが言える。つまり、図４（ｃ）に示すように、魚が針掛かりして竿が曲がりを生じた場合には、竿の断面には、竿の断面の中立面を境にして、上半分には竿の軸線方向に沿った引張力Ｐが作用し、下半分には竿の軸線方向に沿った圧縮力Ｑが作用する。
【００３３】
そして、同時に竿の断面は、竿の軸線方向に直交する面において互いに交差する方向で縮径かつ拡径する状態が見られる。つまり、図４（ａ）に示すように、前記中間部分３Ａの断面は、円周方向における上部部分３ｋとそれに対向する下部部分３ｍとが軸芯に向かって凹入しやすく、かつ、直交する左右部分３ｊでは外向きに張出すように変形しやすくなっている。反対に、図４（ｂ）に示すように中間部分の外径が小さく、肉厚の厚い場合には、変形し難いものである。
【００３４】
このような中間部分３Ａを大径で肉厚の薄いものにして、断面変形が行われ易い構成とすることによって、中間部分３Ａでの柔軟性をより高めたものとでき、しなやかな感触が楽しめる釣りが行えるのである。
【００３５】
上記したものは、元竿３に中間部分３Ａを設ける形態について説明したが、次ぎのように、中竿２等に設けてもよい。つまり、図３（ａ）に示すように、三番竿２Ｂにのみ、前記した中間部分２Ｃを形成する。元竿３に中間部分３Ａを設けた場合に比べてやや変形しやすい部分が竿先側に移動し、釣り竿全体としての撓みはやや抑えたものとなる。
【００３６】
図３（ｂ）に示すように、二番竿２Ａにのみ、前記した中間部分２Ｄを形成する。三番竿２Ｂに中間部分３２Ｃを設けた場合に比べてやや変形しやすい部分がさらに竿先側に移動し、釣り竿全体としての撓みは更に抑えたものとなる。
図３（ｃ）に示すように、元竿３と三番竿２Ｂの両者に、前記した中間部分３Ａ、２Ｃを形成する。この場合には、元竿３と三番竿２Ｂに変形しやすい部分を設けたので、元竿３だけに設けた場合に比べて、釣り竿全体としては撓み易くなっている。
【００３７】
図３（ｄ）に示すように、元竿３と二番竿２Ｃの両者に、前記した中間部分３Ａ、２Ｄを形成する。この場合には、元竿３と二番竿２Ｂに変形しやすい部分を設けたので、元竿３だけ又は元竿３と三番竿２Ｂに設けた場合に比べて、釣り竿全体としては撓み易くかつ魚の引きが強くなると二番竿２Ｂのみならず元竿３でも曲がりを生じ、釣り竿を握った腕を伸ばし魚の動き出しを待つタメを作るのが容易になる。
【００３８】
図３（ｅ）に示すように、三番竿２Ｂと二番竿２Ｃの両者に、前記した中間部分２Ｃ、２Ｄを形成する。この場合には、三番竿２Ｂと二番竿２Ｃに変形しやすい部分を設けたので、元竿３だけ又は元竿３と三番竿２Ｂに設けた場合に比べて、釣り竿全体の中間位置で曲がりやすく、曲がりの曲線が頂点位置で折れ曲がることなく、魚の引っ張り力を滑らかに手元グリップまで伝え得る釣り竿とできた。
【００３９】
図３（ｆ）に示すように、元竿３、三番竿２Ｂ、及び二番竿２Ｃの３者に、前記した中間部分３Ａ、２Ｃ、２Ｄを形成する。この場合には、穂先竿１以外の竿体に撓み易い部分が形成されているので、釣り竿全体として撓み易い構造とでき、針掛がかりした魚の動きに限りなく追従できる釣り竿を構成することができた。
【００４０】
〔他の実施形態〕
（１）上記中間部分３Ａ、２Ｃ、２Ｄとしては、竿先側部分及び竿元側部分に比べて、大径である必要はなく、かつ、肉厚の薄いものである必要はない。ただし、図５（ａ）で示す第３、第４プリプレグ５Ａ、５Ｂのように強化繊維ａ、ｂを傾斜させて設けない場合や、他の剛性を小さくする手段を講じない場合には、剛性を小さくするために、中間部分３Ａ、２Ｃ、２Ｄとしては、竿先側部分及び竿元側部分に比べて、大径で、かつ、肉厚の薄いものとする必要はある。
（２）中間部分３Ａと、竿先側部分３Ｂ及び竿元側部分３Ｃのプリプレグを構成する強化繊維としては、中間部分３Ａに弾性率の小さなガラス繊維や超合金性繊維を採用し、竿先側部分３Ｂ及び竿元側部分３Ｃに弾性率の高い炭素繊維、ボロン繊維等を使用する構成を採用してもよい。また、中間部分３Ａと、竿先側部分３Ｂ及び竿元側部分３Ｃに炭素繊維だけを使用する場合にも、中間部分３Ａに弾性率の小さなものを使用し、竿先側部分３Ｂ及び竿元側部分３Ｃに弾性率の大きなものを使用することができる。
尚、マトリックス樹脂としては、熱硬化性樹脂以外に熱可塑性樹脂を適用してもよい。
（３）竿先側部分３Ｂ、竿元側部分３Ｃ、及び、中間部分３Ａの長さは、釣り竿用竿体の全長を略３等分したものが採用されるが、多少の長短の違いがあってもよい。
（４）竿先側部分３Ｂ、竿元側部分３Ｃ、及び、中間部分３Ａを連結する形態として並継ぎ形態を採用したが、インロー継ぎ形態を採用してもよい。このインロー継ぎ形態は、穂先竿１、二番竿２Ａ、三番竿２Ｂ、元竿３の連結に用いてもよい。
【図面の簡単な説明】
【００４１】
【図１】釣り竿の分解側面図
【図２】元竿に中間部分を設けたものを示し、（ａ）は竿先側部分、中間部分、竿元側部分を示す分解側面図、（ｂ）は竿先側部分、中間部分、竿元側部分を結合した状態を示す側面図
【図３】中間部分を設けるパターンを示したものであり、（ａ）は三番竿に中間部分を設けた状態を示す分解側面図、（ｂ）は二番竿に中間部分を設けた状態を示す分解側面図、（ｃ）は元竿と三番竿に中間部分を設けた状態を示す分解側面図、（ｄ）は元竿と二番竿に中間部分を設けた状態を示す分解側面図、（ｅ）は二番竿と三番竿に中間部分を設けた状態を示す分解側面図、（ｆ）は元竿、三番竿、二番竿に中間部分を設けた状態を示す分解側面図
【図４】（ａ）は中間部分が変形する状態を示す縦断正面図、（ｂ）は竿先側部分、又は、竿元側部分が変形する状態を示す縦断正面図、（ｃ）は竿先側部分、又は、竿元側部分において竿軸線方向に引張力が作用する状態を示す作用図
【図５】（ａ）は強化繊維が竿軸線に対して傾斜する方向に引き揃えられている第１、第２プリプレグをマンドレルに巻回する前の状態を示す斜視図、（ｂ）は強化繊維が竿軸線に沿った方向に引き揃えられている第３プリプレグ、強化繊維が竿軸線に直交する方向に引き揃えられている第４プリプレグをマンドレルに巻回する前の状態を示す斜視図
【符号の説明】
【００４２】
２                  中竿            
３                  元竿            
３Ａ、２Ｃ、２Ｄ    中間部分        
３Ｂ                竿先側部分
３Ｃ                竿元側部分
５Ａ                第１プリプレグ
５Ｂ                第２プリプレグ
Ｄ                  中間部分の外径
Ｔ                  中間部分の肉厚
Ｘ                  竿軸線
ａ、ｂ、ｃ          強化繊維
ｄ１                竿先側部分の外径
ｄ２                竿元側部分の外径
ｔ１                竿先側部分の肉厚
ｔ２                竿元側部分の肉厚
【図１】
2009095303.tif 000003
【図２】
2009095303.tif 000004
【図３】
2009095303.tif 000005
【図４】
2009095303.tif 000006
【図５】
2009095303.tif 000007